(57)【要約】【課題】収容スペースを最低限に抑え、保管スペースの有効活用を図ることができる密閉容器を提供する。【解決手段】容器本体１０と蓋体とを有する。容器本体１０は底部１１と側壁１２とを有する。側壁１２は底部１１に対し立ち上がるよう設けられて上縁部１４に切り欠いた形状の凹部１６を有する。蓋体は容器本体１０の開口１５を閉じたとき凹部１６と嵌合する凸部を有する。容器本体１０および蓋体は発泡合成樹脂製である。蓋体は開口１５を閉じたとき開口１５と嵌合する内面突条を有する。側壁１２は４つの側面１３を有する。各側面１３は隣り合う側面１３と直角をなす。凹部１６は各側面１３の上縁部１４の中央部に設けられる。【選択図】図１
0003224143.tif 000002
【実用新案登録請求の範囲】
【請求項１】
容器本体と蓋体とを有し、
前記容器本体は底部と側壁とを有し、前記側壁は前記底部に対し立ち上がるよう設けられて上縁部に切り欠いた形状の凹部を有し、
前記蓋体は前記容器本体の開口を閉じたとき前記凹部と嵌合する凸部を有することを、
特徴とする密閉容器。
【請求項２】
前記容器本体および前記蓋体は発泡合成樹脂製であって、前記蓋体は前記開口を閉じたとき前記開口と嵌合する内面突条を有することを、特徴とする請求項１記載の密閉容器。
【請求項３】
前記側壁は４つの側面を有し、各側面は隣り合う側面と直角をなし、前記凹部は各側面の前記上縁部の中央部に設けられ、前記底部は前記上縁部に重ねたとき前記凹部の位置に貫通孔を形成して前記開口と嵌合する底面凸部を有することを、特徴とする請求項１または２記載の密閉容器。
【考案の詳細な説明】
【技術分野】
【０００１】
本考案は、冷蔵庫内で冷却して保管するものの収容に適した密閉容器に関する。
【背景技術】
【０００２】
従来、農産品、水産品などを輸送するのに用いられる発泡合成樹脂製の容器が知られている（例えば、特許文献１参照）。このような容器に農産品などを収容して冷蔵庫内に保管するとき、冷気を複数の容器内で循環させて各容器内を冷却するため、蓋を外した状態で交互に９０度ずつずらし、積み重ねて配置する方法がしばしば採られている。
【先行技術文献】
【特許文献】
【０００３】
【特許文献１】特開２００２−６８３４９号公報
【考案の概要】
【考案が解決しようとする課題】
【０００４】
しかしながら、特許文献１の容器を交互にずらして積み重ねたとき、ずらした分だけ収容スペースをとられるため、ずらさずに積み重ねた場合に比べて、冷蔵庫内に収容できる容器の個数が減少するという課題があった。
【０００５】
本考案は、このような課題に着目してなされたもので、収容スペースを最低限に抑え、保管スペースの有効活用を図ることができる密閉容器を提供することを目的とする。
【課題を解決するための手段】
【０００６】
上記目的を達成するために、本考案に係る密閉容器は、容器本体と蓋体とを有し、前記容器本体は底部と側壁とを有し、前記側壁は前記底部に対し立ち上がるよう設けられて上縁部に切り欠いた形状の凹部を有し、前記蓋体は前記容器本体の開口を閉じたとき前記凹部と嵌合する凸部を有することを、特徴とする。
【０００７】
本考案に係る密閉容器は、容器本体の内部に農産品、水産品、その他の物を収容し、蓋体で容器本体の開口を閉じて輸送や保管に用いられる。容器本体は上縁部に切り欠いた形状の凹部を有するので、上縁部に同一寸法形状の他の密閉容器の底部を重ねたとき、凹部の位置に貫通孔が形成される。
【０００８】
このため、本考案に係る密閉容器の容器本体を冷蔵庫内に段積みで積み重ねて配置し、容器本体を交互にずらさなくても、貫通孔を通して冷気が容器本体の内部を通り、内部を冷却することができる。これにより、収容スペースを最低限に抑え、保管スペースの有効活用を図ることができる。流通の際には、蓋体で容器本体の開口を閉じ、蓋体の凸部を容器本体の凹部と嵌合させることができるので、内部を密閉し、保冷保温が可能である。
【０００９】
本考案に係る密閉容器において、前記容器本体および前記蓋体は発泡合成樹脂製であって、前記蓋体は前記開口を閉じたとき前記開口と嵌合する内面突条を有することが好ましい。
この場合、蓋体で開口を閉じたとき内面突条が開口と嵌合するので、容器本体の内部を確実に密閉することができる。
【００１０】
本考案に係る密閉容器において、前記側壁は４つの側面を有し、各側面は隣り合う側面と直角をなし、前記凹部は各側面の前記上縁部の中央部に設けられ、前記底部は前記上縁部に重ねたとき前記凹部の位置に貫通孔を形成して前記開口と嵌合する底面凸部を有することが好ましい。
この場合、凹部は４つの側面の上縁部の中央部に設けられているので、４方向から容器本体の内部に冷気を取り入れることができる。また、容器本体の底部を上縁部に重ねたとき底面凸部が開口と嵌合するので、積み重ねた容器本体を安定させることができる。
【考案の効果】
【００１１】
本考案によれば、収容スペースを最低限に抑え、保管スペースの有効活用を図ることができる密閉容器を提供することができる。
【図面の簡単な説明】
【００１２】
【図１】本考案の実施の形態の密閉容器の容器本体を示す（Ａ）上方斜視図、（Ｂ）下方斜視図である。
【図２】本考案の実施の形態の密閉容器の蓋体を示す（Ａ）上方斜視図、（Ｂ）下方斜視図である。
【考案を実施するための形態】
【００１３】
以下、図面に基づき本考案の実施の形態について説明する。
図１および図２は、本考案の実施の形態の密閉容器の容器本体１０と蓋体２０を示している。
密閉容器は、容器本体１０と蓋体２０とを有している。容器本体１０および蓋体２０は、発泡合成樹脂製である。容器本体１０は、底部１１と側壁１２とを有している。側壁１２は４つの側面１３を有し、各側面１３は隣り合う側面１３と直角をなしている。側壁１２は、底部１１に対し直角に立ち上がるよう一体的に設けられている。容器本体１０は、上縁部１４の内側に開口１５を有している。
【００１４】
容器本体１０は、上縁部１４に等脚台形状の板を切り欠いた形状の凹部１６を有している。凹部１６は、下方から上方にかけて広がっている。凹部１６は、各側面１３の上縁部１４の中央部に設けられている。容器本体１０は、対向する２つの側面１３の外側下部に把持用凹部１７を有している。
底部１１は、開口１５と同一寸法の底面凸部１８を有している。底面凸部１８は、底部１１を上縁部１４に重ねたとき凹部１６の位置に貫通孔を形成して開口１５と嵌合するようになっている。
【００１５】
蓋体２０は、長方形の板状であって、４辺に凸部２１を有している。凸部２１は、蓋体２０の平面２２に対し垂直方向に突出している。凸部２１は先端側が細い等脚台形状であって、蓋体２０が容器本体１０の開口１５を閉じたとき、凸部２１は凹部１６と嵌合するようになっている。
蓋体２０は、開口１５を閉じたとき開口１５と嵌合する内面突条２３を４つの凸部２１より内側に有している。
【００１６】
本考案に係る密閉容器は、容器本体１０の内部に農産品、水産品などを収容し、蓋体２０で容器本体１０の開口１５を閉じて輸送や保管に用いられる。蓋体２０で開口１５を閉じたとき、内面突条２３が開口１５と嵌合するので、容器本体１０の内部を確実に密閉することができる。
【００１７】
冷蔵庫内に保管する場合、蓋体２０を外した状態で、段積みで積み重ねて配置する。容器本体１０の底部１１を上縁部１４に重ねたとき底面凸部１８が開口１５と嵌合するので、積み重ねた容器本体１０を安定させることができる。容器本体１０は上縁部１４に切り欠いた形状の凹部１６を有するので、上縁部１４に同一寸法形状の他の密閉容器の底部１１を重ねたとき、凹部１６の位置に貫通孔が形成される。
【００１８】
このため、容器本体１０を冷蔵庫内に段積みで積み重ねて配置し、容器本体１０を交互にずらさなくても、貫通孔を通して冷気が容器本体１０の内部を通り、内部を冷却することができる。特に、凹部１６は４つの側面１３の上縁部１４の中央部に設けられているので、４方向から容器本体１０の内部に冷気を取り入れることができる。これにより、収容スペースを最低限に抑え、保管スペースの有効活用を図ることができる。流通の際には、蓋体２０で容器本体１０の開口１５を閉じ、蓋体２０の凸部２１を容器本体１０の凹部１６と嵌合させることができるので、内部を密閉し、保冷保温が可能である。
【符号の説明】
【００１９】
１０  容器本体
１１  底部
１２  側壁
１３  側面
１４  上縁部
１５  開口
１６  凹部
１７  把持用凹部
１８  底面凸部
２０  蓋体
２１  凸部
２２  平面
２３  内面突条
【図１】
0003224143.tif 000003
【図２】
0003224143.tif 000004